【手続補正書】
【提出日】平成27年4月16日(2015.4.16)
【手続補正１】
【補正対象書類名】特許請求の範囲
【補正対象項目名】全文
【補正方法】変更
【補正の内容】
【特許請求の範囲】
【請求項１】
被測定部位に巻き付けて使用されるカフを有する血圧測定装置であって、
前記カフは、該カフの一方の面に設けられ、前記カフを前記被測定部位に巻きつけた状態で固定するための第１の固定部と、該カフの他方の面に設けられ、該カフを前記被測定部位に巻きつけた状態で固定するための第２の固定部とを含み、
前記第１の固定部と前記第２の固定部の少なくとも一方は電磁石部を有し、
前記電磁石部から発生させる磁力を制御して、前記第１の固定部に前記第２の固定部を引き付けて前記カフを前記被測定部位に固定する制御部を備える血圧測定装置。
【請求項２】
請求項１に記載の血圧測定装置であって、
前記制御部は、血圧測定のために行われる前記カフの加圧過程において、前記カフの圧迫圧力に応じて前記電磁石部から発生させる磁力を大きくする血圧測定装置。
【請求項３】
請求項１又は２に記載の血圧測定装置であって、
前記制御部は、血圧測定のために行われる前記カフの減圧過程において、前記カフの圧迫圧力に応じて前記電磁石部から発生させる磁力を小さくする血圧測定装置。
【請求項４】
請求項１から３のいずれか一項に記載の血圧測定装置であって、
前記カフの前記被測定部位への巻き付け状態を、前記カフの圧力に基づいて判定する巻き付け状態判定部を備え、
前記制御部は、前記巻き付け状態判定部によって判定された巻き付け状態に応じて、前記電磁石部から発生させる磁力を制御する血圧測定装置。
【請求項５】
請求項１から４のいずれか一項に記載の血圧測定装置であって、
前記制御部は、血圧測定の終了後、前記電磁石部への電力供給を停止する血圧測定装置。
【請求項６】
請求項１から５のいずれか一項に記載の血圧測定装置であって、
前記第１の固定部と第２の固定部はいずれも電磁石部を有し、
前記制御部は、前記第１の固定部の電磁石部と前記第２の固定部の電磁石部とが磁力によって互いに引き合うように前記磁力を制御する第一の制御と、前記第１の固定部の電磁石部と前記第２の固定部の電磁石部とが磁力によって互いに反発するように前記磁力を制御する第二の制御とを行う血圧測定装置。
【請求項７】
請求項６に記載の血圧測定装置であって、
前記制御部は、血圧測定の終了後、前記第二の制御を行って前記カフの前記被測定部位への固定を解除する血圧測定装置。
【請求項８】
請求項１から７のいずれか一項に記載の血圧測定装置であって、
前記第１の固定部は、第１の係合部材をさらに有し、
前記第２の固定部は、前記第１の係合部材と係合する第２の係合部材をさらに有する血圧測定装置。
【請求項９】
請求項８に記載の血圧測定装置であって、
前記第１の係合部材は、一方向に伸びる凸部材又は凹部材により構成され、
前記第２の係合部材は、前記第１の係合部材の前記凸部材又は凹部材に係合する凹部材又は凸部材により構成される血圧測定装置。
【請求項１０】
請求項９に記載の血圧測定装置であって、
前記一方向は、前記カフの巻き付け状態を調整する巻き付け調整方向に交差する方向であり、
前記第１の係合部材の前記凸部材又は凹部材は、前記巻き付け調整方向に複数個並べて設けられる血圧測定装置。
【請求項１１】
請求項９に記載の血圧測定装置であって、
前記一方向は、前記カフの巻き付け状態を調整する巻き付け調整方向である血圧測定装置。
【請求項１２】
請求項１１に記載の血圧測定装置であって、
前記凸部材又は前記凹部材は、前記電磁石部上に設けられ、  前記電磁石部が、前記一方向に配設され、前記制御部によって独立に制御可能な複数の電磁石部材により構成される血圧測定装置。 
【手続補正２】
【補正対象書類名】明細書
【補正対象項目名】００１１
【補正方法】変更
【補正の内容】
【００１１】
被測定部位に巻き付けて使用されるカフを有する血圧測定装置であって、前記カフは、該カフの一方の面に設けられ、該カフを前記被測定部位に巻きつけた状態で固定するための第１の固定部と、該カフの他方の面に設けられ、該カフを前記被測定部位に巻きつけた状態で固定するための第２の固定部とを含み、前記第１の固定部と前記第２の固定部の少なくとも一方は電磁石部を有し、前記電磁石部から発生させる磁力を制御して、前記第１の固定部に前記第２の固定部を引き付けて前記カフを前記被測定部位に固定する制御部を備える血圧測定装置。 
【手続補正３】
【補正対象書類名】明細書
【補正対象項目名】００２２
【補正方法】変更
【補正の内容】
【００２２】
カフ３０は、上記の流体袋としての空気袋３１を含んでおり、この空気袋３１に図１に示したエアチューブ４０が接続されている。 
【手続補正４】
【補正対象書類名】明細書
【補正対象項目名】００３３
【補正方法】変更
【補正の内容】
【００３３】
電磁石駆動回路２３は、固定部３２の後述する電磁石部３２１の駆動を、ＣＰＵ１８から与えられる制御信号に基づいて行う。すなわち、電磁石駆動回路２３は、ＣＰＵ１８からの制御信号に基づいて、所定の電力を固定部３２に供給する。 
【手続補正５】
【補正対象書類名】明細書
【補正対象項目名】００４６
【補正方法】変更
【補正の内容】
【００４６】
これに対し、カフの固定に面ファスナーを用いている場合は、カフ３０の加圧過程において、面ファスナーのズレが生じることがあり、血圧測定に必要な空気量が増えてしまう。 
【手続補正６】
【補正対象書類名】明細書
【補正対象項目名】００４７
【補正方法】変更
【補正の内容】
【００４７】
そのため、血圧測定装置の消費電力が大きくなったり、空気袋に空気を送るポンプに要求する性能が高くなってしまうことがある。また、面ファスナーのズレによる振動がノイズとなり、血圧測定の精度に影響を与えることがある。しかし、上述のように電磁石部３２１を用いることによって、このようなズレの発生を低減することができる。 
【手続補正７】
【補正対象書類名】明細書
【補正対象項目名】００４８
【補正方法】変更
【補正の内容】
【００４８】
血圧測定の開始後、ＣＰＵ１８は、カフ圧の上昇に伴い、圧力センサ１１の出力信号に基づき圧力値が所定レベルにまで達したと判定したら、閉じていた弁１３を徐々に開き、微速排気の制御を行い、カフ圧を徐々に減少させる。この減圧過程において、圧力センサ１１により検出される信号に重畳する脈圧信号に基づき、ＣＰＵ１８は、所定の手順に基づき血圧値（最高血圧および最低血圧）を算出する。この血圧算出手順は公知であるので説明は省略する。 
【手続補正８】
【補正対象書類名】明細書
【補正対象項目名】００７７
【補正方法】変更
【補正の内容】
【００７７】
このように、カフ３０がぴったりと巻き付いていないときは、ＣＰＵ１８は、電磁石部３２１から発生する磁力を小さくする。このため、内面固定部３２Ａが外面固定部３２Ｂを引き付ける力が弱くなる。 
【手続補正９】
【補正対象書類名】明細書
【補正対象項目名】０１３０
【補正方法】変更
【補正の内容】
【０１３０】
本明細書には、次の事項が開示される。
（１）  被測定部位に巻き付けて使用されるカフを有する血圧測定装置であって、
前記カフは、該カフの一方の面に設けられ、該カフを前記被測定部位に巻きつけた状態で固定するための第１の固定部と、該カフの他方の面に設けられ、該カフを前記被測定部位に巻きつけた状態で固定するための第２の固定部とを含み、前記第１の固定部と前記第２の固定部の少なくとも一方は電磁石部を有し、前記電磁石部から発生させる磁力を制御して、前記第１の固定部に前記第２の固定部を引き付けて前記カフを前記被測定部位に固定する制御部を備える血圧測定装置。
（２）  （１）に記載の血圧測定装置であって、前記制御部は、血圧測定のために行われる前記カフの加圧過程において、前記カフの圧迫圧力に応じて前記電磁石部から発生させる磁力を大きくする血圧測定装置。
（３）  （１）又は（２）に記載の血圧測定装置であって、前記制御部は、血圧測定のために行われる前記カフの減圧過程において、前記カフの圧迫圧力に応じて前記電磁石部から発生させる磁力を小さくする血圧測定装置。
（４）  （１）から（３）のいずれか一つに記載の血圧測定装置であって、前記カフの前記被測定部位への巻き付け状態を、前記カフの圧力に基づいて判定する巻き付け状態判定部を備え、前記制御部は、前記巻き付け状態判定部によって判定された巻き付け状態に応じて、前記電磁石部から発生させる磁力を制御する血圧測定装置。
（５）  （１）から（４）のいずれか一つに記載の血圧測定装置であって、前記制御部は、血圧測定の終了後、前記電磁石部への電力供給を停止する血圧測定装置。
（６）  （１）から（５）のいずれか一つに記載の血圧測定装置であって、前記第１の固定部と前記第２の固定部はいずれも前記電磁石部を有し、前記制御部は、前記第１の固定部の電磁石部と前記第２の固定部の電磁石部とが磁力によって互いに引き合うように前記磁力を制御する第一の制御と、前記第１の固定部の電磁石部と前記第２の固定部の電磁石部とが磁力によって互いに反発するように前記磁力を制御する第二の制御とを行う血圧測定装置。
（７）  （６）に記載の血圧測定装置であって、前記制御部は、血圧測定の終了後、前記第二の制御を行って前記カフの前記被測定部位への固定を解除する血圧測定装置。
（８）  （１）から（７）のいずれか一つに記載の血圧測定装置であって、前記第１の固定部は、第１の係合部材をさらに有し、前記第２の固定部は、前記第１の係合部材と係合する第２の係合部材をさらに有する血圧測定装置。
（９）  （８）に記載の血圧測定装置であって、前記第１の係合部材は、一方向に伸びる凸部材又は凹部材により構成され、
前記第２の係合部材は、前記第１の係合部材の前記凸部材又は凹部材に係合する凹部材又は凸部材により構成される血圧測定装置。
（１０）  （９）に記載の血圧測定装置であって、前記一方向は、前記カフの巻き付け状態を調整する巻き付け調整方向に交差する方向であり、前記第１の係合部材の前記凸部材又は凹部材は、前記巻き付け調整方向に複数個並べて設けられる血圧測定装置。
（１１）  （９）に記載の血圧測定装置であって、前記一方向は、前記カフの巻き付け状態を調整する巻き付け調整方向である血圧測定装置。
（１２）  （１１）に記載の血圧測定装置であって、前記凸部材又は前記凹部材は、前記電磁石部上に設けられ、前記電磁石部が、前記一方向に配設され、前記制御部によって独立に制御可能な複数の電磁石部材により構成される血圧測定装置。